(57)【要約】【課題】遺族には全く経済的負担や管理負担を掛けることなく、また無縁墓地の発生を防止することが可能な遺骨管理装置および遺骨管理プログラムの提供。【解決手段】契約者に関するデータを取得し、契約者を識別するための識別データに関連付けてＤＢ１０に記録する契約者データ取得手段１１と、遺骨保管期間および遺骨処理方法を含む契約内容に関するデータを取得し、識別データに関連付けてＤＢ１０に記録する契約内容データ取得手段１２と、遺骨保管期間の開始日に関するデータを取得し、識別データに関連付けてＤＢ１０に記録する保管開始日データ取得手段１４と、ＤＢ１０に記録された遺骨保管期間の開始日に関するデータおよび契約内容の遺骨保管期間に関するデータに基づき、遺骨保管期間の終了のタイミングに合わせて遺骨保管期間の終了日に関するデータをこの契約内容の遺骨処理方法に関するデータをとともに出力するデータ出力手段１５とを有する。【選択図】  図１
2005258797.tif 000002
【特許請求の範囲】
【請求項１】
ネットワークに接続された遺骨管理装置であって、
前記ネットワークを通じて契約者に関するデータを取得し、前記契約者を識別するための識別データに関連付けてデータベースに記録する手段と、
前記ネットワークを通じて遺骨保管期間および遺骨処理方法を含む契約内容に関するデータを取得し、前記識別データに関連付けて前記データベースに記録する手段と、
前記ネットワークを通じて前記遺骨保管期間の開始日に関するデータを取得し、前記識別データに関連付けて前記データベースに記録する手段と、
前記データベースに記録された遺骨保管期間の開始日に関するデータおよび契約内容の遺骨保管期間に関するデータに基づき、遺骨保管期間の終了のタイミングに合わせて遺骨保管期間の終了日に関するデータをこの契約内容の遺骨処理方法に関するデータとともに出力する手段と
を有する遺骨管理装置。
【請求項２】
前記契約者に関するデータは、遺族となる人に関するデータを含むものであり、
さらに、前記ネットワークを通じて死亡日または命日に関するデータを取得し、前記識別データに関連付けて前記データベースに記録する手段と、
前記データベースに記録された死亡日または命日に関するデータおよび遺族となる人に関するデータに基づいて、法事のタイミングを前記遺族となる人に定期的に通知する手段と
を有する請求項１記載の遺骨管理装置。
【請求項３】
前記契約者に関するデータは、遺族となる人に関するデータを含むものであり、
さらに、前記ネットワークを通じて前記遺族からの遺骨の貸出要請を受け付ける手段と、
前記貸出要請を前記遺族となる人に関するデータに基づいて認証する手段と、
前記貸出要請に対して貸し出した遺骨について、前記識別データに関連付けて前記データベースに貸出に関するデータを記録する手段と
を有する請求項１または２に記載の遺骨管理装置。
【請求項４】
ネットワークに接続されたコンピュータを、
前記ネットワークを通じて契約者に関するデータを取得し、前記契約者を識別するための識別データに関連付けてデータベースに記録する手段と、
前記ネットワークを通じて遺骨保管期間および遺骨処理方法を含む契約内容に関するデータを取得し、前記識別データに関連付けてデータベースに記録する手段と、
前記ネットワークを通じて前記遺骨保管期間の開始日に関するデータを取得し、前記識別データに関連付けてデータベースに記録する手段と、
前記データベースに記録された遺骨保管期間の開始日に関するデータおよび契約内容の遺骨保管期間に関するデータに基づき、遺骨保管期間の終了のタイミングに合わせて遺骨保管期間の終了日に関するデータをこの契約内容の遺骨処理方法に関するデータとともに出力する手段と
して機能させるための遺骨管理プログラム。
【請求項５】
前記契約者に関するデータは、遺族となる人に関するデータを含むものであり、
さらに前記コンピュータを、前記ネットワークを通じて死亡日または命日に関するデータを取得し、前記識別データに関連付けて前記データベースに記録する手段と、
前記データベースに記録された死亡日または命日に関するデータを前記データベースに記録された遺族となる人に関するデータに関するデータに基づいて定期的に通知する手段と
して機能させるための請求項４記載の遺骨管理プログラム。
【請求項６】
前記契約者に関するデータは、遺族となる人に関するデータを含むものであり、
さらに前記コンピュータを、前記ネットワークを通じて前記遺族からの遺骨の貸出要請を受け付ける手段と、
前記貸出要請を前記遺族となる人に関するデータに基づいて認証する手段と、
前記貸出要請に対して貸し出した遺骨について、前記識別データに関連付けて前記データベースに貸出に関するデータを記録する手段と
して機能させるための請求項４または５に記載の遺骨管理プログラム。
【発明の詳細な説明】
【技術分野】
【０００１】
本発明は、故人の遺骨を管理するための遺骨管理装置および遺骨管理プログラムに関する。
【背景技術】
【０００２】
人間が死亡すると火葬され、通常は本人の意思とは無関係に、遺族により墓地または納骨堂などへ埋葬される。しかしながら、都会では分譲墓地も少なく、高額であるため、遺族の経済的負担や、墓地または納骨堂の管理負担が問題となる。また、近年では、宗教離れや先祖供養の慣習が稀有となり、無縁墓地が多くなっているという現実がある。
【０００３】
遺族の管理負担を減らすものとしては、例えば特許文献１に記載のものが知られている。特許文献１には、室内墓地に多数の納骨壇を安置可能にするために祭壇を階段形状とし、参拝者のＩＤカードの認識により室内墓地の出入ドアの開閉や目的納骨壇の内部照明の点灯等の設備制御および運用管理を行うことが可能な室内墓地システムが記載されている。
【０００４】
【特許文献１】特開平１１−６２３１９号公報
【発明の開示】
【発明が解決しようとする課題】
【０００５】
上記特許文献１に記載のような室内墓地システムでは、確かに少ない土地に多数の遺骨を埋葬することができ、またＩＤカードにより容易を簡単にすることができるが、遺族の経済的負担を減らすことはできない。また、遺骨をどのように維持していくかは遺族の意志に任せられていることに変わりなく、遠い将来、無縁墓地となる可能性は否定できない。
【０００６】
そこで、本発明においては、遺族には全く経済的負担や管理負担を掛けることなく、また無縁墓地の発生を防止することが可能な遺骨管理装置および遺骨管理プログラムを提供することを目的とする。
【課題を解決するための手段】
【０００７】
本発明の遺骨管理装置は、ネットワークに接続された遺骨管理装置であって、ネットワークを通じて契約者に関するデータを取得し、契約者を識別するための識別データに関連付けてデータベースに記録する手段と、ネットワークを通じて遺骨保管期間および遺骨処理方法を含む契約内容に関するデータを取得し、識別データに関連付けてデータベースに記録する手段と、ネットワークを通じて遺骨保管期間の開始日に関するデータを取得し、識別データに関連付けてデータベースに記録する手段と、データベースに記録された遺骨保管期間の開始日に関するデータおよび契約内容の遺骨保管期間に関するデータに基づき、遺骨保管期間の終了のタイミングに合わせて遺骨保管期間の終了日に関するデータをこの契約内容の遺骨処理方法に関するデータをとともに出力する手段とを有するものである。
【０００８】
本発明の遺骨管理装置では、故人となる人との生前の契約に基づいて、契約者に関するデータと、遺骨保管期間および遺骨処理方法を含む契約内容に関するデータとをネットワークを通じて取得して、契約者を識別するための識別データに関連付けてデータベースに記録しておく。そして、死後、故人の遺族からのネットワークを通じた通知に基づいて、遺骨保管期間の開始日に関するデータを取得して、識別データに関連付けてデータベースに記録する。本発明の遺骨管理装置は、これらのデータベースに記録された遺骨保管期間の開始日に関するデータおよび契約内容の遺骨保管期間に関するデータに基づき、この遺骨保管期間の終了のタイミングに合わせて遺骨保管期間の終了日に関するデータを契約内容の遺骨処理方法に関するデータとともに出力する。遺骨管理者は、出力された遺骨保管期間の終了日に関するデータに基づいて、遺骨保管期間の終了日以降、遺骨処理方法に関するデータにより指定された遺骨処理方法に従って遺骨を処理する。
【０００９】
ここで、本発明の遺骨管理装置は、契約者に関するデータが、遺族となる人に関するデータを含むものであり、さらに、ネットワークを通じて死亡日または命日に関するデータを取得し、識別データに関連付けてデータベースに記録する手段と、データベースに記録された死亡日または命日に関するデータおよび遺族となる人に関するデータに基づいて、法事のタイミングを遺族となる人に定期的に通知する手段とを有するものであることが望ましい。
【００１０】
これにより、死後、故人の遺族から死亡日または命日に関するデータをネットワークを通じて取得し、識別データに関連付けてデータベースに記録しておくことで、死亡日または命日に関するデータに基づいて法事のタイミングが、遺族となる人に関するデータに基づいて遺族に定期的に通知される。
【００１１】
また、本発明の遺骨管理装置は、契約者に関するデータが、遺族となる人に関するデータを含むものであり、さらに、ネットワークを通じて遺族からの遺骨の貸出要請を受け付ける手段と、貸出要請を遺族となる人に関するデータに基づいて認証する手段と、貸出要請に対して貸し出した遺骨について、識別データに関連付けてデータベースに貸出に関するデータを記録する手段とを有するものであることが望ましい。
【００１２】
これにより、遺族からの貸出要請に基づいて遺族の認証を行い、この遺族に対して遺骨の貸出を行い、貸し出した遺骨については、識別データに関連付けてデータベースに記録することで管理することができる。
【００１３】
上記本発明の遺骨管理装置は、ネットワークに接続されたコンピュータを、ネットワークを通じて契約者に関するデータを取得し、契約者を識別するための識別データに関連付けてデータベースに記録する手段と、ネットワークを通じて遺骨保管期間および遺骨処理方法を含む契約内容に関するデータを取得し、識別データに関連付けてデータベースに記録する手段と、ネットワークを通じて遺骨保管期間の開始日に関するデータを取得し、識別データに関連付けてデータベースに記録する手段と、データベースに記録された遺骨保管期間の開始日に関するデータおよび契約内容の遺骨保管期間に関するデータに基づき、遺骨保管期間の終了のタイミングに合わせて遺骨保管期間の終了日に関するデータをこの契約内容の遺骨処理方法に関するデータとともに出力する手段として機能させるための遺骨管理プログラムの実行により実現することができる。
【００１４】
また、この遺骨管理プログラムは、さらにコンピュータを、ネットワークを通じて死亡日または命日に関するデータを取得し、識別データに関連付けて前記データベースに記録する手段と、データベースに記録された死亡日または命日に関するデータをデータベースに記録された遺族となる人に関するデータに関するデータに基づいて定期的に通知する手段として機能させるためのものとすることができる。
【００１５】
さらに、この遺骨管理プログラムは、さらにコンピュータを、ネットワークを通じて前記遺族からの遺骨の貸出要請を受け付ける手段と、貸出要請を遺族となる人に関するデータに基づいて認証する手段と、貸出要請に対して貸し出した遺骨について、識別データに関連付けてデータベースに貸出に関するデータを記録する手段として機能させるためのものとすることができる。
【発明の効果】
【００１６】
（１）ネットワークを通じて契約者に関するデータを取得し、識別データに関連付けてデータベースに記録する手段と、ネットワークを通じて遺骨保管期間および遺骨処理方法を含む契約内容に関するデータを取得し、識別データに関連付けてデータベースに記録する手段と、ネットワークを通じて遺骨保管期間の開始日に関するデータを取得し、識別データに関連付けてデータベースに記録する手段と、データベースに記録された遺骨保管期間の開始日に関するデータおよび契約内容の遺骨保管期間に関するデータに基づき、遺骨保管期間の終了のタイミングに合わせてこの契約内容の遺骨処理方法に関するデータをこの契約内容の遺骨処理方法に関するデータとともに出力する手段とを有することにより、故人となる人との生前の契約に基づいて、死後その故人の遺骨は指定された遺骨保管期間の間、遺骨管理者によって管理され、この遺骨保管期間の経過後、指定された遺骨処理方法に従って処理される。契約は故人となる人の生前の契約によるため、遺族には全く経済的負担はない。また、遺族は故人の死をネットワークを通じて通知するだけでよく、故人となる人の生前の契約により遺骨保管期間の経過後、自動的に処理されるため、遺族には全く管理負担はなく、無縁墓地の発生も防止できる。
【００１７】
（２）契約者に関するデータが、遺族となる人に関するデータを含むものであり、さらに、ネットワークを通じて死亡日または命日に関するデータを取得し、識別データに関連付けてデータベースに記録する手段と、データベースに記録された死亡日または命日に関するデータおよび遺族となる人に関するデータに基づいて、法事のタイミングを遺族となる人に定期的に通知する手段とを有することにより、死亡日または命日に関するデータに基づいて法事のタイミングが遺族に定期的に通知されるため、遺族は法事の管理も不要となり、法事を忘れることがない。
【００１８】
（３）契約者に関するデータが、遺族となる人に関するデータを含むものであり、さらに、ネットワークを通じて遺族からの遺骨の貸出要請を受け付ける手段と、貸出要請に対して貸し出した遺骨について、識別データに関連付けてデータベースに貸出に関するデータを記録する手段とを有することにより、遺族からの貸出要請に基づいて遺族の認証を行い、この遺族に対して遺骨の貸出を行い、貸し出した遺骨については、識別データに関連付けてデータベースに記録することで管理することができるので、遺族は遺骨の管理場所から離れた場所に居る場合であっても身近な場所で法事を行うことが可能となり、遠方で法事を行う場合のような経済的負担がない。
【発明を実施するための最良の形態】
【００１９】
図１は本発明の実施の形態における遺骨管理装置のブロック図である。
図１において、本発明の実施の形態における遺骨管理装置１は、インターネット等のネットワーク（図示せず。）に接続されたコンピュータである。この遺骨管理装置１は、ネットワークを通じて利用者のコンピュータ２により接続される。遺骨管理装置１は、コンピュータ２に対し、ネットワークを通じてワールドワイドウェブ（World Wide Web；ＷＷＷ）によるドキュメント（ウェブページ）を提供する。
【００２０】
このようなウェブページは、コンピュータ２の要求により遺骨管理装置１から提供され、コンピュータ２上で実行されるウェブブラウザにより表示される。表示されたウェブページに設けられた後述の各入力欄には、コンピュータ２のキーボードやポインティングデバイス等の入力装置を用いてデータを入力することができる。入力されたデータは、コンピュータ２からネットワークを通じて遺骨管理装置１へ送信することができる。
【００２１】
遺骨管理装置１は、各種契約データを蓄積するデータベース（以下、「ＤＢ」と称す。）１０を備える。コンピュータ２からの要求により遺骨管理装置１から提供される契約のためのウェブページには、契約データとしての契約者に関するデータ（以下、「契約者データ」と称す。）および契約内容に関するデータ（以下、「契約内容データ」と称す。）をそれぞれ入力する欄が設けられている。
【００２２】
契約者データとは、契約者の住所、氏名、電話番号、電子メールアドレス、生年月日、性別や、遺族となる人すなわち家族の氏名、続柄、連絡先、親族代表等に関するものである。なお、本実施形態においては、契約者自身が遺骨を管理される人となる場合について説明するが、契約者自身と遺骨を管理される人とが同一である必要はない。また、契約内容データとは、決済方法、決済内容、遺骨保管期間、遺骨処理方法等に関するものである。
【００２３】
遺骨管理装置１は、これらの各入力欄によって入力され、ネットワークを通じて送信された契約者データおよび契約内容データをそれぞれ取得し、それぞれ取得した契約者データおよび契約内容データを、各契約者を識別するための識別データに関連付けてＤＢ１０に記録する契約者データ取得手段１１および契約内容データ取得手段１２を有する。
【００２４】
また、遺骨管理装置１は、契約者データ取得手段１１および契約内容データ取得手段１２によりそれぞれ取得した契約者データおよび契約内容データに基づいて遺骨の保管契約が締結されたことを証明するための保管証書を交付する証書交付手段１３を備える。遺骨管理装置１は、遺骨の保管契約が完了すると、証書交付手段１３により利用者のコンピュータ２に対して保管証書データを送信する。
【００２５】
コンピュータ２からの要求により遺骨管理装置１から提供される死亡連絡および遺骨の保管要請のためのウェブページには、保管開始に関するデータ（以下、「保管開始データ」と称す。）を入力する欄が設けられている。保管開始データとは、識別データ、故人の死亡日または命日に関するデータ（以下、「命日データ」と称す。）、遺骨保管期間の開始日に関するデータ（以下、「開始日データ」と称す。）、保管終了予定日に関するデータや、処理予定日に関するデータ等である。
【００２６】
遺骨管理装置１は、この入力欄によって入力され、ネットワークを通じて送信された開始日データを取得し、識別データに関連付けてＤＢ１０に記録する開始日データ取得手段１４を有する。なお、保管終了予定日に関するデータおよび処理予定日に関するデータは、命日データおよび開始日データに基づいて算出したデータをＤＢ１０に記録する構成とすることも可能である。
【００２７】
また、遺骨管理装置１は、ＤＢ１０に記録された遺骨保管期間の開始日に関するデータおよび契約内容の遺骨保管期間に関するデータに基づき、遺骨保管期間の終了のタイミングに合わせて遺骨保管期間の終了日に関するデータをこの契約内容の遺骨処理方法に関するデータとともに出力するデータ出力手段１５を有する。
【００２８】
データ出力手段１５は、遺骨保管期間の終了のタイミングを、ＤＢ１０に記録された保管終了予定日に関するデータや処理予定日に関するデータ等により検出することができる。あるいは、データ出力手段１５は、この遺骨保管期間の終了のタイミングを、ＤＢ１０に記録された命日データや開始日データ等により算出することができる。
【００２９】
なお、遺骨保管期間の終了のタイミングに合わせてとは、遺骨保管期間の終了日当日、遺骨保管期間の終了日の前日、遺骨保管期間の終了日の数日前や、遺骨保管期間の終了日以降等をいう。すなわち、データ出力手段１５は、遺骨の保管契約期間満了により遺骨の処理を開始する時期に合わせて、遺骨保管期間の終了日に関するデータおよび遺骨処理方法に関するデータを出力するものである。
【００３０】
また、遺骨管理装置１は、ＤＢ１０に記録された死亡日または命日に関するデータおよび遺族となる人に関するデータに基づいて、法事のタイミングを遺族となる人に定期的に通知する法事通知手段１６を有する。法事通知手段１６による通知は、ウェブページ、電子メール、電話、ファクシミリ等の様々な情報伝達手段により行うことが可能である。また、遺骨管理装置１は、この定期的に行う通知のタイミングを死亡日または命日に関するデータに基づいて算出することができる。
【００３１】
コンピュータ２からの要求により遺骨管理装置１から提供される遺骨貸出要請のためのウェブページには、遺族に関するデータ、遺骨貸出予定日や遺骨返却予定日等に関するデータ（以下、「要請データ」と称す。）を入力する欄が設けられている。遺族に関するデータとは、契約時に、遺族となる人として登録した氏名、続柄、連絡先、親族代表や、識別データ等である。
【００３２】
遺骨管理装置１は、この入力欄によって入力され、ネットワークを通じて送信された要請データを取得することにより、遺族からの遺骨の貸出要請を受け付ける遺骨貸出要請受付手段１７を有する。また、遺骨管理装置１は、この遺骨貸出要請受付手段１７により受け付けた貸出要請について、遺族に関するデータに基づいてＤＢ１０を参照することにより認証する認証手段１８を有する。
【００３３】
さらに、遺骨管理装置１は、この貸出要請に対して貸し出した遺骨について、識別データに関連付けて貸出に関するデータ（以下、「貸出データ」と称す。）をＤＢ１０に記録する貸出データ記録手段１９を有する。貸出データとは、遺骨を貸し出した遺族に関するデータや、遺骨貸出日、遺骨返却日に関するデータ等である。
【００３４】
上記構成の遺骨管理装置１は、上記各手段としてコンピュータを機能させるための遺骨管理プログラムの実行により実現される。
【００３５】
上記構成の遺骨管理装置１を用いた遺骨管理システムによる遺骨管理方法について、以下に説明する。図２は本発明の実施の形態における遺骨管理装置１による遺骨管理の流れを示す説明図である。
【００３６】
図２において、遺骨管理装置１は、遺骨管理センタＡに設置されている。また、遺骨管理装置１によって管理される遺骨は、遺骨保管倉庫Ｂに保管される。遺骨保管倉庫Ｂには、自動保管倉庫３およびこの自動保管倉庫３を管理するための倉庫管理装置４が設置されている。
【００３７】
（Ｓ１０１）
本実施形態における遺骨管理システムの利用者は、コンピュータ２ａを利用して遺骨管理装置１へアクセスし、遺骨管理の契約のためのウェブページを要求する。利用者は、この要求に応じて提供された遺骨管理の契約のためのウェブページから契約者データおよび契約内容データを入力し、これらのデータを遺骨管理装置１へ送信する。送信されたこれらのデータは、遺骨管理装置１の契約者データ取得手段１１および契約内容データ取得手段１２により取得され、ＤＢ１０へ記録されるとともに、遺骨保管の契約手続きが行われる。
【００３８】
（Ｓ１０２）
遺骨保管契約が締結されると、遺骨管理装置１は、証書交付手段１３により利用者のコンピュータ２ａに対して保管証書データを送信する。送信された保管証書データは、利用者のコンピュータ２ａにより受信され、ディスプレイ上に表示される。ここで、利用者は、表示された保管証書データをプリンタにより印字しておく。利用者は、生前にこの印字した保管証書を家族や遺族となる人（以下、「遺族等」と称す。）に渡しておく。
【００３９】
（Ｓ１０３）
利用者が死亡した際、遺族等は、コンピュータ２ｂを利用して遺骨管理装置１へアクセスし、死亡連絡および遺骨の保管要請のためのウェブページを要求する。遺族等は、この要求に応じて提供された死亡連絡および遺骨の保管要請のためのウェブページから保管開始データを入力し、このデータを遺骨管理装置１へ送信する。送信されたデータは、遺骨管理装置１の保管開始データ取得手段１４により取得され、ＤＢ１０へ記録される。
【００４０】
（Ｓ１０４）
また、遺族等は、遺骨を遺骨保管倉庫Ｂに送付する。遺骨保管倉庫Ｂは、送付された遺骨を預かり、自動保管倉庫３に保管する。このとき、倉庫管理装置４は、適宜ＤＢ１０にアクセスし、契約者データ、契約内容データ、保管開始データを参照して自動保管倉庫３の出入庫を管理する。例えば、遺骨は識別データに関連付けられた保管コード、遺骨コード等により管理される。遺骨の入庫時には、入庫記録がなされる。
【００４１】
（Ｓ１０５）
また、遺骨保管期間内においては、遺骨管理装置１から遺族等に対し、ＤＢ１０に記録された死亡日または命日に関するデータおよび遺族等に関するデータに基づいて、法事通知手段１６により法事のタイミングが定期的に通知される。通知は、遺族等のコンピュータ２ｂへのウェブページや電子メールの提供の他、電話やファクシミリ等により行われる。
【００４２】
（Ｓ１０６）
ここで、遺族等は、遺骨保管期間内に、コンピュータ２ｂを利用して遺骨管理装置１へアクセスし、遺骨貸出要請のためのウェブページを要求することができる。遺族等は、この要求に応じて提供された遺骨貸出要請のためのウェブページから要請データを入力し、このデータを遺骨管理装置１へ送信する。この送信されたデータが、遺骨貸出要請受付手段１７により受け付けられ、認証手段１８により認証された後、遺骨保管倉庫Ｂから遺族等へ遺骨の貸出しが行われる。このとき、遺骨管理装置１は、この貸出要請に対して貸し出した遺骨について、貸出データ記録手段１９により貸出データを識別データに関連付けてＤＢ１０に記録する。
【００４３】
（Ｓ１０７）
遺骨保管期間中、遺骨管理装置１は、遺骨保管期間の終了のタイミングを、ＤＢ１０に記録された保管終了予定日に関するデータや処理予定日に関するデータ等により検出し、この遺骨保管期間の終了のタイミングに合わせてデータ出力手段１５により遺骨保管期間の終了日に関するデータをこの契約内容の遺骨処理方法に関するデータとともに出力する。この出力されたデータに基づいて、遺族等には遺骨保管期間の終了の旨が通知される。また、出力されたデータは、遺骨保管倉庫Ｂへと提供され、遺骨保管倉庫Ｂにより、遺骨保管期間の経過後、指定された遺骨処理方法に従って遺骨が処理される。
【００４４】
以上のように、本実施形態における遺骨管理装置１によれば、故人となる人との生前の契約に基づいて、死後その故人の遺骨は指定された遺骨保管期間の間、遺骨管理センタＡによって管理され、この遺骨保管期間の経過後、指定された遺骨処理方法に従って処理される。契約は故人となる人の生前の契約によるため、遺族には全く経済的負担はない。また、遺族は故人の死をネットワークを通じて通知するだけでよく、故人となる人の生前の契約により遺骨保管期間の経過後、自動的に処理されるため、遺族には全く管理負担はなく、無縁墓地の発生も防止できる。
【００４５】
また、本実施形態における遺骨管理装置１によれば、法事のタイミングが遺族に定期的に通知されるため、遺族は法事の管理も不要となり、法事を忘れることがない。さらに、このとき、遺族からの貸出要請に基づいて遺族の認証を行い、この遺族に対して遺骨の貸出を行い、貸し出した遺骨については、識別データに関連付けてデータベースに記録することで管理することができるので、遺族は遺骨の管理場所から離れた場所に居る場合であっても身近の場所で法事を行うことが可能となり、遠方で法事を行う場合のような経済的負担がない。
【産業上の利用可能性】
【００４６】
本発明の遺骨管理装置および遺骨管理プログラムは、故人の遺骨を管理するための装置およびこれを実現するためのプログラムとして有用である。特に、遺族には全く経済的負担や管理負担を掛けることなく、また無縁墓地の発生を防止することを可能にする遺骨管理装置および遺骨管理プログラムとして好適である。
【図面の簡単な説明】
【００４７】
【図１】本発明の実施の形態における遺骨管理装置のブロック図である。
【図２】本発明の実施の形態における遺骨管理装置による遺骨管理の流れを示す説明図である。
【符号の説明】
【００４８】
１  遺骨管理装置
２，２ａ，２ｂ  コンピュータ
３  自動保管倉庫
４  倉庫管理装置
１０  データベース（ＤＢ）
１１  契約者データ取得手段
１２  契約内容データ取得手段
１３  証書交付手段
１４  保管開始データ取得手段
１５  データ取得手段
１６  法事通知手段
１７  遺骨貸出要請受付手段
１８  認証手段
１９  貸出データ記録手段
【図１】
2005258797.tif 000003
【図２】
2005258797.tif 000004